(57)【要約】【課題】着用者の身体と表面シートとの間に隙間が生じることを防止すること。【解決手段】幅方向にわたって折り曲げられて個包装構造をなしている吸収性物品である。吸収体が下部吸収体と上部吸収体を有している。上部吸収体は前方上部吸収体と後方上部吸収体を有している。前方上部吸収体と後方上部吸収体との間、又は前方上部吸収体の後端部で、表面シートと吸収体とを固定部を有するとともに、固定部と後方上部吸収体の間が、表面シートと吸収体とが非接合状態の離間部となっている。個包装を解き、装着状態において、固定部と後方上部吸収体との間に位置する個包装時の折り曲げ線を頂部として、表面シートが肌に向けて隆起して表面シート離間部が形成される。前方上部吸収体及び後方上部吸収体上の表面シート並びに表面シート離間部が、略面状をなして装着者の肌と当接する。【選択図】図４
2010201093.tif 000002
【特許請求の範囲】
【請求項１】
着用者の肌対向面側に位置する表面シートと、非肌対向面側に位置する裏面シートと、両シート間に介在する吸収体とを備え、実質的に縦長形状であり、幅方向にわたって折り曲げられて個包装構造をなしている吸収性物品であって、
前記吸収体は、下部吸収体と、該下部吸収体の肌当接面側における長手方向の前後に位置する上部吸収体とを有し、
前記上部吸収体は前後に互いに離間しており、排泄部位に位置する前方上部吸収体と、該前方上部吸収体よりも後方に位置する後方上部吸収体とを有し、
前記前方上部吸収体と前記後方上部吸収体との間、又は前記前方上部吸収体の後端部で、前記表面シートと前記吸収体とを固定部を有するとともに、該固定部と該後方上部吸収体の間が、該表面シートと該吸収体とが非接合状態の離間部となっており、
個包装を解き、装着状態において、前記固定部と前記後方上部吸収体との間に位置する個包装時の折り曲げ線を頂部として、表面シートが肌に向けて隆起して表面シート離間部が形成され、前記前方上部吸収体及び前記後方上部吸収体上の表面シート並びに前記表面シート離間部が、略面状をなして装着者の肌と当接する吸収性物品。
【請求項２】
前記前方上部吸収体と前記後方上部吸収体との間に前記固定部が形成され、該固定部は、前記下部吸収体と前記表面シートとが圧密化されて形成されたエンボス凹部からなり、
前記吸収性物品が、前記前方上部吸収体と前記後方上部吸収体との間において、前記エンボス凹部と異なる位置で折り曲げられて前記個包装構造をなしている請求項１記載の吸収性物品。
【請求項３】
前記表面シートが、連続線又は不連続点の点列からなり、かつ長手方向に延びる複数条のエンボス部を有し、前記吸収性物品が折り曲げられて個包装されたときに、前記表面シートに折り目がつきにくくなっている請求項１又は２記載の吸収性物品。
【請求項４】
前記表面シートを構成する繊維が長手方向配向性を有し、かつ厚みが０．５ｍｍ以上であり、前記吸収性物品が折り曲げられて個包装されたときに、前記表面シートに折り目がつきにくくなっている請求項１又は２記載の吸収性物品。
【請求項５】
前記固定部が、前記表面シートと前記吸収体とを、吸収性物品の幅方向にわたって固定して形成されている請求項１ないし４のいずれかに記載の吸収性物品。
【発明の詳細な説明】
【技術分野】
【０００１】
本発明は、生理用ナプキンや失禁パッド等の吸収性物品に関する。
【背景技術】
【０００２】
生理用ナプキン等の吸収性物品において、身体への密着性や漏れ防止性を向上させるために、吸収体上に中高のクッション層（中高部）を介在させることが知られている。例えば、本出願人は先に、中高部が、吸収性物品の前方部及び後方部に別個に設けられた前方中高部と後方中高部とからなり、前方中高部と後方中高部との間に、前方部又は後方部の変形を、互いに影響させない折り曲げ起点が設けられている吸収性物品を提案した（特許文献１参照）。この折り曲げ起点は、表面シート及び吸収体を圧密化して形成されたいわゆるエンボス溝である。
【０００３】
この吸収性物品は、例えば図１０（ａ）に示すように、下部吸収体１１３ａと、その上に配置された前方上部吸収体１１３ｂ及び後方上部吸収体１１３ｃとを有している。前方上部吸収体１１３ｂは、上述した前方中高部に対応するものであり、後方上部吸収体１１３ｃは後方中高部に対応するものである。前方上部吸収体１１３ｂの周縁部においては、表面シート１１１と下部吸収体１１３ａとがエンボス加工によって一体化されて、実質的に閉じた環状の溝部１６１が形成されている。このような構造の吸収性物品を、その幅方向にわたって１カ所又は２カ所以上で折り曲げて、その全体を包装フィルム等の包装材で包むことで個包装構造が完成する。上述した溝部１６１は圧密化によって厚みが減じられていることで、折り曲げ性向を有することから、包装構造を形成するときの折り曲げにおいては、前方上部吸収体１１３ｂと後方上部吸収体１１３ｃとの間に位置する溝部１６１において容易に吸収性物品を折り曲げることができる。
【０００４】
しかし、上述の折り曲げを行うと、表面シート１１１のうち、前方上部吸収体１１３ｂと後方上部吸収体１１３ｃとの間に位置する部位１１１Ａに折りぐせがついたり、小じわが発生したりしてしまう。その結果、折りたたみ状態の包装構造を展開して着用者の身体に装着すると、折りぐせや小じわに起因して、図１０（ｂ）に示すように、前方上部吸収体１１３ｂと後方上部吸収体１１３ｃとの間において、着用者の身体と吸収性物品との間に隙間Ｓが生じやすい。この隙間Ｓは、排泄された液の液溜まりとなってしまうことから、そこからの液漏れが起こりやすくなってしまう。
【先行技術文献】
【特許文献】
【０００５】
【特許文献１】特開２００６−２３９１６２号公報
【発明の概要】
【発明が解決しようとする課題】
【０００６】
本発明の目的は、前述した従来技術が有する欠点を解消し得る吸収性物品の包装構造を提供することにある。
【課題を解決するための手段】
【０００７】
本発明は、着用者の肌対向面側に位置する表面シートと、非肌対向面側に位置する裏面シートと、両シート間に介在する吸収体とを備え、実質的に縦長形状であり、幅方向にわたって折り曲げられて個包装構造をなしている吸収性物品であって、
前記吸収体は、下部吸収体と、該下部吸収体の肌当接面側における長手方向の前後に位置する上部吸収体とを有し、
前記上部吸収体は前後に互いに離間しており、排泄部位に位置する前方上部吸収体と、該前方上部吸収体よりも後方に位置する後方上部吸収体とを有し、
前記前方上部吸収体と前記後方上部吸収体との間、又は前記前方上部吸収体の後端部で、前記表面シートと前記吸収体とを固定部を有するとともに、該固定部と該後方上部吸収体の間が、該表面シートと該吸収体とが非接合状態の離間部となっており、
個包装を解き、装着状態において、前記固定部と前記後方上部吸収体との間に位置する個包装時の折り曲げ線を頂部として、表面シートが肌に向けて隆起して表面シート離間部が形成され、前記前方上部吸収体及び前記後方上部吸収体上の表面シート並びに前記表面シート離間部が、略面状をなして装着者の肌と当接する吸収性物品を提供するものである。
【発明の効果】
【０００８】
本発明によれば、吸収性物品の装着状態において、前後の上部吸収体間の部位に位置する表面シートが、着用者の身体に向けてループ状に突出するので、当該部位において着用者の身体と表面シートとの間に隙間が生じづらくなり、液溜まりの発生やそれに起因する液漏れの発生が効果的に防止される。
【図面の簡単な説明】
【０００９】
【図１】図１は、本発明の一実施形態の吸収性物品としての生理用ナプキンを示す斜視図である。
【図２】図２は、図１におけるII−II線断面図である。
【図３】図３は、図１に示す生理用ナプキンを折りたたんで個包装構造を形成する状態の途中を示す斜視図である。
【図４】図４は、図１に示す生理用ナプキンを身体に装着した状態を示す模式図である。
【図５】図５（ａ）及び（ｂ）はそれぞれ、前方エンボス溝部及び後方エンボス溝部の形状を示すナプキンの平面図である。
【図６】図６は、前方エンボス溝部及び後方エンボス溝部の形状を示す別のナプキンの平面図である。
【図７】図７は、前方エンボス溝部及び後方エンボス溝部の形状を示す別のナプキンの平面図である。
【図８】図８は、前方エンボス溝部及び後方エンボス溝部の形状を示す更に別のナプキンの平面図である。
【図９】図９（ａ）ないし（ｄ）はそれぞれ、本発明に用いられる表面シートに施されるエンボスパターンを示す平面図である。
【図１０】図１０（ａ）は、従来の吸収性物品の長手方向に沿う断面図であり、図１０（ｂ）は、図１０（ａ）に示す吸収性物品の装着状態での長手方向に沿う断面図である。
【発明を実施するための形態】
【００１０】
以下本発明を、その好ましい実施形態に基づき図面を参照しながら説明する。図１には、本発明の吸収性物品の一実施形態としての生理用ナプキンの個包装構造における生理用ナプキンの斜視図が示されている。図２は、図１におけるII-II線断面図である。
【００１１】
本実施形態の包装構造における生理用ナプキン１０は、着用者のショーツ内面における股下部に装着されて、主として経血や尿の吸収に用いられるものである。ナプキン１０は、図１に示すように、長手方向及びそれに直交する幅方向を有する縦長の形状をしている。ナプキン１０は、着用者の肌対向面側に位置する表面シート１１、非肌対向面側である外方を向く（ショーツ内面側を向く）裏面シート１２及び両シート１１，１２間に介在する吸収体１３を有している。
【００１２】
ナプキン１０は、その裏面シート１２の側に配された包装フィルム等からなる包装材（図示せず）とともに、図１に示す一点鎖線Ａ１，Ａ２，Ａ３の３本の仮想線に沿って幅方向に折り曲げられて個包装構造となる。詳細には、図３に示すように、ナプキン１０は包装材（図示せず）とともに、その前方寄りの部位及び後方寄りの部位が、一点鎖線Ａ１及びＡ２に沿って表面シート１１の側に折り曲げられる。更にナプキン１０は、その長手方向の概ね中央域において、一点鎖線Ａ３に沿って表面シート１１の側に二つ折りさられる。このようにナプキン１０は、その幅方向にわたって３カ所の位置で折り曲げられ、四つ折りの折りたたみ構造となる。そして、この折りたたみ構造の最外面に位置する包装材（図示せず）によってナプキン１０が包まれて、個包装構造（図示せず）が完成する。
【００１３】
吸収体１３は、上下２段構造になっている。すなわち吸収体１３は、下側（すなわち裏面シート側）に位置する下部吸収コア１３ａと、下部吸収コア１３ａの肌当接面側である上側（すなわち表面シート側）に位置する２つの上部吸収コア１３ｂ，１３ｃとを有している。下部吸収コア１３ａと、２つの上部吸収コア１３ｂ，１３ｃとは、一体でもよく、あるいは別体でもよい。下部吸収コア１３ａはその平面視において、ナプキン１０の平面視での形状よりも一回り程度小さくなっている。２つの上部吸収コア１３ｂ，１３ｃはそれらの平面視においていずれも、下部吸収コア１３ａの平面視での形状よりも寸法が小さくなっている。したがって吸収体１３を、上部吸収コア１３ｂ，１３ｃ側から平面視すると、下部吸収コア１３ａの上面１３ａ’が一部露出した状態になっている。そして上部吸収コア１３ｂ，１３ｃは、下部吸収コア１３ａの上面１３ａ’から肌対向面側に向けて隆起している。
【００１４】
２つの上部吸収コア１３ｂ，１３ｃは、ナプキン１０の幅方向中央域に、長手方向に沿って直列に、かつ間隔をおいて前後に配置されている。２つの上部吸収コア１３ｂ，１３ｃはナプキン１０の長手方向に沿って前後に互いに離間している。上部吸収コア１３ｂは、ナプキン１０の装着状態において、着用者の排泄部位にほぼ位置している。一方、上部吸収コア１３ｃは、上部吸収コア１３ｂよりも後方に位置している。下部吸収コア１３ａ及び上部吸収コア１３ｂ，１３ｃは、これら全体が基台シート（図示せず）に包まれて吸収体５が形成されている。
【００１５】
ナプキン１０はその幅方向中央域の肌対向面側において隆起する中高部５０を有している。中高部５０は、別個に設けられる前方中高部５１と後方中高部５２とからなる。「前方」及び「後方」とは、ナプキン１０の装着状態において、着用者の身体の前側及び後側に位置する方向を言う。
【００１６】
前方中高部５１及び後方中高部５２は、ナプキン１０の長手方向に沿って直列に配置されている。前方中高部５１及び後方中高部５２はいずれも、ナプキン１０の長手方向に延びている。また、前方中高部５１及び後方中高部５２はいずれも、ナプキン１０の幅よりも狭幅となっている。ナプキン１０の平面視において、前方中高部５１及び後方中高部５２はいずれも略長円形をしている。前方中高部５１及び後方中高部５２は、上述した上部吸収コア１３ｂ，１３ｃからそれぞれ構成されている。したがって、以下の説明では、ナプキン１０の前方側に位置する上部吸収コア１３ｂのことを、前方上部吸収コア１３ｂと呼び、後方側に位置する上部吸収コア１３ｃのことを、後方上部吸収コア１３ｃと呼ぶ。
【００１７】
ナプキン１０は、前方中高部５１の周縁の位置に、該前方中高部５１の略全域を取り囲むように形成された環状をした凹状の前方エンボス溝部６１を有している。前方エンボス溝部６１は、前方上部吸収コア１３ｂの周縁の位置において、表面シート１１と下部吸収コア１３ａとを、エンボス加工によって圧密一体化して形成されている。前方エンボス溝部６１は、前方中高部５１の前方端縁部及び後方端縁部にそれぞれ位置し、かつ略Ｕ字状をした前方溝部６１ａ及び後方溝部６１ｂ、並びに前方中高部５１の左右の側縁部に位置する側方溝部６１ｃ，６１ｃとから構成されている。これらの溝部は互いに滑らかに連なり、実質的に閉じた環状の形状を構成している。前方溝部６１ａ及び後方溝部６１ｂは、いずれもナプキン２０の概ね幅方向に延びている。側方溝部６１ｃは、ナプキン２０の概ね長手方向に延びている。
【００１８】
またナプキン１０は、後方中高部５２の周縁の位置に、該後方中高部５２の両側縁部及び後方端縁部を取り囲むように形成された略Ｕ字状をした凹状の後方エンボス溝部６２を有している。後方エンボス溝部６２は、後方上部吸収コア１３ｃの周縁の位置において、表面シート４と下部吸収コア１３ａとを、エンボス加工によって圧密一体化して形成されている。後方エンボス溝部６２は、後方中高部５２の後方端縁部に位置し、かつ略Ｕ字状の後方溝部６２ｂ及び後方中高部５２の左右の側縁部に位置する側方溝部６２ｃ，６２ｃとから構成されている。これらの溝部は互いに滑らかに連なっている。後方溝部６２ｂは、ナプキン１０の概ね幅方向に延びている。側方溝部６２ｃは、ナプキン２０の概ね長手方向に延びている。
【００１９】
更にナプキン１０は、前方エンボス溝部６１に連なり、かつナプキンの後方部の周縁に位置する後方最外周エンボス溝部６３を有している。エンボス溝部６３は後方エンボス溝部６２を取り囲むように形成されている。
【００２０】
ナプキン１０は、その幅方向の両側の位置に、長手方向に延びる一対の防漏カフ７０，７０を有している。防漏カフ７０は、その幅方向の断面形状が略Ｔ字形をしている。このような形状の防漏カフ７０の詳細は、例えば本出願人の先の出願に係る特開２００３−２４５３０６号公報に記載されている。
【００２１】
更にナプキン１０は、その幅方向の左右側縁部から側方に延出した一対のウイング部８０，８０を有している。ウイング部８０は、ナプキン１０の長手方向における形成位置が、前方中高部５１の形成位置とほぼ一致している。
【００２２】
ナプキン１０における表面シート１１としては、例えば透液性を有するシート材料である不織布や穿孔フィルム等を好適に用いることができる。裏面シート１２としては、例えば不透液性のフィルムや、スパンボンド−メルトブローン−スパンボンド不織布等からなる撥水性のシート材料が用いられる。裏面シート１２は水蒸気透過性を有していてもよい。基台シートとしては、例えばティッシュペーパーや不織布等の透水性を有する繊維シートを用いることができる。吸収コア１３ａ，１３ｂ，１３ｃは、例えば木材パルプ繊維と高吸収性ポリマーの粒子の混合物から構成されている。
【００２３】
以上の構成を有するナプキン１０においては、図１に示すように、ナプキン１０を折りたたんで包装構造にするときに形成される折り曲げ線の位置、すなわち一点鎖線Ａ３で表される位置が、前方エンボス溝部６１のうち、前方上部吸収コア１３ｂと後方上部吸収コア１３ｃとの間に位置する部位である後方溝部６１ｂ（この部位は、表面シート１１と吸収体とをナプキン１０の幅方向に固定した部位である）の形成位置と異なっている。詳細には、ナプキン１０は、後方溝部６１ｂと後方上部吸収コア１３ｃとの間の位置で、一点鎖線Ａ３に沿って折り曲げられる。つまり、ナプキン１０を折り曲げる位置と後方溝部６１ｂの位置とが一致していない。このような折り曲げ関係で個包装構造が形成されていることによって次の有利な効果が奏される。
【００２４】
すなわち、ナプキン１０が平坦な状態のときは、表面シート１１は吸収体の表面の凸凹形状に沿っている。ところで、後方溝部６１ｂと後方中高部５２との間の位置において表面シート１１は吸収体と非接合状態の離間部になっているので、個包装を解き、ナプキン１０が装着状態になっているときは、該離間部における表面シート１１には、ナプキン１０の折り曲げによって緩みが生じている。その結果、表面シート１１は、後方溝部６１ｂによって吸収体に固定されている位置を起点に、その緩みが生じている部分が吸収体から離間し突出する。この突出によって、表面シート１１のうち、前後の上部吸収コア１３ｂ，１３ｃ間の部位に位置する部位１１Ａが図４に示すように変形し、個包装時の折り曲げ線Ａ３（図３参照）を頂部として、表面シート１１が肌に向けて隆起して表面シート離間部１１Ｂが形成され、表面シート１１にしわが形成されることを抑制する。すなわち部位１１Ａが、後方溝部６１ｂと、後方上部吸収コア１３ｃの上面とを変形の支点として、着用者の身体Ｂに向けて橋架けのループ状に突出して表面シート離間部１１Ｂが形成される。その結果、前方上部吸収コア１３ｂ及び後方上部吸収コア１３ｃ上の表面シート１１並びに表面シート離間部１１Ｂが、略面状をなして装着者の肌と当接するようになる。
【００２５】
このようなループ状に突出した表面シート離間部１１Ｂの形成においては、後方中高部５２の頂部と表面シート１１とが接着剤等で固定されているか、後方中高部５２の頂部から表面シート１１が浮かないように構成されていれば、表面シート離間部１１Ｂの形状が安定する。本実施形態の生理用ナプキン１０では、Ｕ字状の後方エンボス溝部６２が形成されていることによって、ナプキン１０の幅方向中央部における表面シート１１の離間・突出が安定化されている。更に、後方エンボス溝部６２の側方溝部６２ｃが、後方中高部５２の頂部からの表面シート１１の浮きを抑えるように、該後方中高部５２の側方に位置し、かつ生理用ナプキン１０の側方側へ広がる形状を有しているので、このことによっても安定した橋架けのループ形状の表面シート離間部１１Ｂが形成できるようになっている。
【００２６】
ループ形状の表面シート離間部１１Ｂは、その突出の程度に応じて、その一部が着用者の身体Ｂに接触する。その結果、表面シート離間部１１Ｂにおいては、着用者の身体Ｂと表面シート１１との間に隙間が生じづらくなる。したがって、排泄された液が、前方中高部５１と後方中高部５２との間に溜まることや、それに起因してナプキン１０から液漏れが起こることが効果的に防止される。
【００２７】
橋架けのループ状の表面シート離間部１１Ｂを効果的に形成するために、ループの一方の起点となる後方溝部６１ｂは、後方上部吸収コア１３ｃの前端縁１３ｃ’（図４参照）から前方上部吸収コア１３ｂとの間で可能な限り離間していることが好ましい。前方上部吸収コア１３ｂと後方上部吸収コア１３ｃとの離間距離は、好ましくは１５〜４０ｍｍ、更に好ましくは１５〜２５ｍｍである。表面シート１１には肌と接触する点を考慮して柔軟性が求められるところ、この離間距離が大きすぎると表面シート１１の剛性不足に起因して、ナプキン１０の装着時に表面シート離間部１１Ｂがつぶれ、また湾曲可能な表面シート１１が多く存在し過ぎることに起因する小じわが発生し、液の吸収時に液溜まりが起きて漏れを生じることがある。一方、離間距離が小さすぎると、前方中高部５１及び後方中高部５２が接触してナプキンが着用者の身体形状にフィットしにくくなることがあり、また表面シート１１の隆起が起こらないこともある。
【００２８】
本発明者らの検討の結果、橋架けのループ状の表面シート離間部１１Ｂの突出の程度は、前方エンボス溝部６１の後方溝部６１ｂの平面視での形状で変化することが判明した。例えば図５（ａ）に示すように、平面視において後方溝部６１ｂが、後方中高部５２の側に向けて凸をなす略Ｕ字状の場合と、図５（ｂ）に示すように、後方溝部６１ｂが、後方中高部５２の側に向けて凸をなす略Ｖ字状の場合とを比較すると、図５（ｂ）に示す略Ｖ字状の方が、前方エンボス溝部６１の後端部と後方エンボス溝部６２の前端部との間で、表面シート１１が突出する領域を広くすることができるので、表面シート離間部１１Ｂの突出の程度が大きい。図５（ａ）及び（ｂ）に示す後方溝部６１ｂを、前方中高部５１側に向けて凸をなす略Ｕ字状や略Ｖ字状に形成し、かつ後方エンボス溝部６２に隣接するように配置しても同様の効果が得られる。
【００２９】
前記の実施形態においては、前方エンボス溝部６１が略環状であり、後方エンボス溝部６２が略Ｕ字状の開いた（非環状の）形状をしていたが、これに代えて、ナプキン１０の折り曲げ線が、前方上部吸収コア１３ｂと後方上部吸収コア１３ｃとの間であって、かつその間に形成される前方エンボス溝部６１と異なる位置に位置する場合には、図６に示すように、前方エンボス溝部６１が略Ｕ字状に開いた非環状の形状でもよい。また後方エンボス溝部６２も、略Ｕ字状に開いた非環状の形状でもよい。同図に示す前方エンボス溝部６１及び後方エンボス溝部６２は、いずれもナプキン１０の長手方向中央部に向けて開いた略Ｕ字状になっている。そして、ナプキン１０の折り曲げ線は、略Ｕ字状の前方エンボス溝部６１における２つの端部よりも後方エンボス溝部６２側に位置している。ナプキン１０は、この折り曲げ線の位置で幅方向に沿って折り曲げられて、個包装構造となされる。
【００３０】
図６に示す実施形態においては、非環状の前方エンボス溝部６１における前方溝部６１ａが、前方中高部５１の前方側の端部に位置することで、前方上部吸収コア１３ｂの後方側の端部に表面シート１１が固定され、橋架けのループ状の表面シート離間部１１Ｂが形成される。この場合、表面シート離間部１１Ｂは、前方上部吸収コア１３ｂの後方側の端部の上面と、後方上部吸収コア１３ｃの上面とを変形の支点として形成される。
【００３１】
図７に示す実施形態においては、前方上部吸収コア１３ｂの後方端縁に沿って形成された後方溝部６１ｂと、後方上部吸収コア１３ｃの前方端縁に沿って形成された前方溝部６２ａとを有し、両溝部６１ｂ，６２ａの間において、ナプキン１０が折り曲げられて包装構造をなしている。後方溝部６１ｂ及び前方溝部６２ａの幅は、前方上部吸収コア１３ｂの幅及び後方上部吸収コア１３ｃの幅よりも小さくなっている。同図に示す実施形態においては、後方溝部６１ｂ及び前方溝部６２ａの端部よりも外方の位置に、一対の橋架けのループ状の表面シート離間部１１Ｂ，１１Ｂが形成される。同図に示す後方溝部６１ｂは略Ｕ字状であるが、これに代えて略Ｖ字状とすることができる。前方溝部６２ａについても同様であり、略Ｕ字状又は略Ｖ字状とすることができる。したがって、後方溝部６１ｂ及び前方溝部６２ａの形状の組み合わせは４通りとなる。そのような組み合わせのうち、同図に示すように、後方溝部６１ｂ及び前方溝部６２ａがいずれも略Ｖ字状である場合が、突出部位１１Ａの突出の程度が最も大きい。
【００３２】
図８には、本発明の別の実施形態が示されている。同図に示す実施形態は、図５（ａ）及び（ｂ）において、ナプキン１０の幅方向に延びるエンボス溝部である後方溝部６１ｂに代えて、ドット状のエンボス凹部Ｅを形成した例である。エンボス凹部Ｅは、前方上部吸収コア１３ｂの後方端縁において、ナプキン１０の幅方向略中央部に形成されている。ナプキン１０は、エンボス凹部Ｅと後方上部吸収コア１３ｃの前方端縁との間の位置で、幅方向に沿って折り曲げられて、包装構造となされる。本実施形態においては、ループ状の表面シート離間部１１Ｂは、エンボス凹部Ｅと、後方上部吸収コア１３ｃの上面とを変形の支点として、着用者の身体Ｂに向けて突出する。このドット状のエンボス凹部Ｅは、前方エンボス溝部６１寄りの位置に形成されているが、これに代えて後方エンボス溝部６２寄りの位置に形成してもよい。また、前方エンボス溝部６１寄りの位置に第１のドット状エンボス溝部を形成し、かつ後方エンボス溝部６２寄りの位置に第２のドット状エンボス溝部を形成してもよい。
【００３３】
以上の各実施形態において、ループ状の表面シート離間部１１Ｂの突出の程度は、表面シート１１の材質を適切に選択することによっても達成される。一般的な観点からは、柔軟で、嵩高であり、かつしわになりにくい性質の不織布を用いることが、ナプキン１０が個包装構造となって折りたたまれたときに、表面シート１１に折り目がつきにくい点で好ましい。例えば、構成する繊維が長手方向配向性を有している不織布からなる表面シート１１を用いると、該不織布はナプキン１０の幅方向に折れ曲がりにくくなるので、表面シート離間部１１Ｂを形成しやすくなる。
【００３４】
また、不織布に特定のパターンのエンボス加工又は凹凸構造を施すことでもループ状の表面シート離間部１１Ｂを形成させやすくなる。例えば、図９（ａ）及び（ｂ）に示すように、連続線からなり、かつナプキン１０の長手方向に延びる複数条のエンボス部４０を有する不織布を表面シート１１として用いると、隣り合うエンボス部４０の間の部位４１の剛性が相対的に低くなることから、該部位４１が長手方向に沿って折曲しやすくなる。つまり該部位４１に、長手方向に沿う折曲性向が発現する。その結果、不織布は幅方向に折れ曲がりにくくなるので、ループ状の表面シート離間部１１Ｂを形成しやすくなる。また、ナプキン１０を個包装構造としたときに、表面シート１１に折り目がつきにくくなる。なお、図９（ａ）に示すエンボス部４０は直線状のものであり、図９（ｂ）に示すエンボス部４０は波形のものである。
【００３５】
エンボス部は、図９（ｃ）に示すように、不連続なエンボス点４２の点列であってもよい。このエンボス点４２の点列がナプキン１０の長手方向に延び、その点列が多列に配されることで、点列間の部位４１の剛性が相対的に低くなる。その結果、該部位４１が長手方向に沿って折曲しやすくなり、該部位４１に長手方向に沿う折曲性向が発現する。更に、エンボス点４２の連なりを凹部として形成すると、ナプキン１０の長手方向に延びる凹凸構造が形成されて、よりループ状の表面シート離間部１１Ｂが形成しやすくなり、またナプキン１０を個包装構造としたときに、表面シート１１に折り目がつきにくくなる。
【００３６】
このように、表面シート１１が、その長手方向に沿う折曲性向を有するものであれば、図９（ａ）ないし（ｃ）に示すエンボスパターン以外のパターンを採用することもできる。例えば、図９（ｄ）に示すように、非エンボス部位４３がナプキン１０の幅方向に沿って不連続に直線状に連なるようなエンボスパターンを不織布に形成することで、折り曲げ線と略平行な方向に可撓軸が形成されにくくなり、該非エンボス部位４３の連なり部位の剛性を相対的に低くすることができる。その結果、該部位が長手方向に沿って折曲しやすくなり、該部位に長手方向に沿う折曲性向が発現する。同様の効果は、ナプキン１０の幅方向に沿って不連続な凹凸構造を形成した場合にも得ることができる。
【００３７】
以上、本発明をその好ましい実施形態に基づき説明したが、本発明は前記実施形態に制限されない。例えば前記実施形態は、本発明を生理用ナプキンに適用した例であるが、本発明は生理用ナプキン以外の吸収性物品である失禁パッド等にも同様に適用できる。
【００３８】
また、前記実施形態においては、前方上部吸収コア１３ｂと後方上部吸収コア１３ｃとの間にエンボス凹部を形成して、表面シート１１と吸収体とを固定したが、これに代えて、前方上部吸収コア１３ｂの後端部にエンボス凹部を形成し、表面シート１１と吸収体とを固定してもよい。
【００３９】
また、前記実施形態においては、ナプキン１０を複数箇所で折り曲げて包装構造を形成したが、これに代えて、ナプキン１０を１カ所で折り曲げて包装構造を形成してもよい。
【００４０】
また、前記実施形態においては、防漏性を主目的として、前方エンボス溝部６１に連なり、かつナプキンの後方部の周縁に位置する後方最外周エンボス溝部６３を形成しているが、前方エンボス溝部６１をナプキン全体の周縁部に形成する（全周化する）等の形態にすれば、エンボス溝６３を形成しなくてもよい。
【００４１】
また、上述した各実施形態を、当業者の技術常識の範囲において適宜組み合わせて更に別の実施形態としてもよく、そのような実施形態は本発明の範囲内である。
【符号の説明】
【００４２】
１０  生理用ナプキン（吸収性物品）
１１  表面シート
１２  裏面シート
１３  吸収体
１３ａ  下部吸収コア
１３ｂ  前方上部吸収コア
１３ｃ  後方上部吸収コア
５０  中高部
５１  前方中高部
５２  後方中高部
６１  前方エンボス溝部
６１ａ  前方溝部
６１ｂ  後方溝部
６１ｃ  側方溝部
６２  後方エンボス溝部
６２ｂ  後方溝部
６２ｃ  側方溝部
【図１】
2010201093.tif 000003
【図２】
2010201093.tif 000004
【図３】
2010201093.tif 000005
【図４】
2010201093.tif 000006
【図５】
2010201093.tif 000007
【図６】
2010201093.tif 000008
【図７】
2010201093.tif 000009
【図８】
2010201093.tif 000010
【図９】
2010201093.tif 000011
【図１０】
2010201093.tif 000012